(57)【特許請求の範囲】
【請求項１】
端末によってアクセスされた複数のＷｅｂサイトのアドレスを、ネットワークを介して取得するアクセス履歴管理サーバであって、
監視対象用端末のアドレスと、当該監視対象用端末を操作するユーザのユーザ属性と、管理用端末のアドレスとを対応付けて記憶したアドレス記憶手段と、
監視対象用端末毎に、アクセスされた複数のアドレスと、そのアドレスのカテゴリとを含むアクセス履歴を蓄積するアクセス履歴蓄積手段と、
前記アクセス履歴蓄積手段を用いて、監視対象用端末毎に、各カテゴリの所定統計値を算出する統計値算出手段と、
前記アクセス履歴蓄積手段を用いて、前記ユーザ属性毎に、各カテゴリの平均的な所定統計値を算出する平均統計値算出手段と、
監視対象用端末毎に、各カテゴリに対する所定閾値の差が予め設定された閾値記憶手段と、
前記カテゴリ毎に、前記監視対象用端末に基づく所定統計値が、前記監視対象用端末のユーザ属性に基づく前記平均的な所定統計値よりも、前記所定閾値以上の差があるか否かを判定する統計値判定手段と、
前記統計値判定手段によって真と判定された際に、当該監視対象用端末に対応する管理用端末へ、当該カテゴリについて閾値以上となった旨の警告情報を送信する警告情報送信手段と
を有することを特徴とするアクセス履歴管理サーバ。
【請求項２】
前記統計値算出手段は、各カテゴリの閲覧回数、及び／又は、当該監視対象用端末からアクセスされた全アクセス数に対する各カテゴリに所属する割合を、前記所定統計値として算出することを特徴とする請求項１に記載のアクセス履歴管理サーバ。
【請求項３】
前記警告情報送信手段は、前記警告情報として、前記カテゴリ毎の前記閲覧回数、及び／又は、各カテゴリに所属する割合を、前記管理用端末へ送信することを特徴とする請求項２に記載のアクセス履歴管理サーバ。
【請求項４】
Ｗｅｂサイトのアドレスと、そのページ情報に基づくカテゴリとを対応付けて蓄積したカテゴリ検索サーバと通信可能であって、
前記アクセス履歴を前記カテゴリ検索サーバへ送信し、当該アクセス履歴のアドレス毎のカテゴリを受信するカテゴリ検索手段を更に有する
ことを特徴とする請求項１から３のいずれか１項に記載のアクセス履歴管理サーバ。
【請求項５】
前記アクセス履歴蓄積手段は、所定時間範囲内の時刻にアクセスされたとする複数のアドレスについて最初のアドレス以外を削除するように動作し、
１つのＷｅｂサイトに対するアクセスによって複数のＷｅｂサイトに対するアクセスが強制された場合、当該Ｗｅｂサイトへの１回のアクセスと認定することを特徴とする請求項１から４のいずれか１項に記載のアクセス履歴管理サーバ。
【請求項６】
前記端末は、携帯電話機であり、
前記端末のアドレスは、電話番号又は識別番号であり、
前記警告情報送信手段は、電子メール、ショートメール又はＷｅｂページによって、前記警告情報を、前記管理用端末へ送信する
ことを特徴とする請求項１から５いずれか１項に記載のアクセス履歴管理サーバ。
【請求項７】
端末によってアクセスされた複数のＷｅｂサイトのアドレスを、ネットワークを介して取得するサーバに搭載されたコンピュータを機能させるアクセス履歴管理用プログラムであって、
監視対象用端末のアドレスと、管理用端末のアドレスとを対応付けて記憶したアドレス記憶手段と、
監視対象用端末毎に、アクセスされた複数のアドレスと、そのアドレスのカテゴリとを含むアクセス履歴を蓄積するアクセス履歴蓄積手段と、
前記アクセス履歴蓄積手段を用いて、監視対象用端末毎に、各カテゴリの所定統計値を算出する統計値算出手段と、
前記アクセス履歴蓄積手段を用いて、前記ユーザ属性毎に、各カテゴリの平均的な所定統計値を算出する平均統計値算出手段と、
監視対象用端末毎に、各カテゴリに対する所定閾値の差が予め設定された閾値記憶手段と、
前記カテゴリ毎に、前記監視対象用端末に基づく所定統計値が、前記監視対象用端末のユーザ属性に基づく前記平均的な所定統計値よりも、前記所定閾値以上の差があるか否かを判定する統計値判定手段と、
前記統計値判定手段によって真と判定された際に、当該監視対象用端末に対応する管理用端末へ、当該カテゴリについて閾値以上となった旨の警告情報を送信する警告情報送信手段と
してコンピュータを機能させることを特徴とするアクセス履歴管理用プログラム。
【請求項８】
端末によってアクセスされた複数のＷｅｂサイトのアドレスを、ネットワークを介して取得するサーバにおけるアクセス履歴管理方法であって、
監視対象用端末のアドレスと、当該監視対象用端末を操作するユーザのユーザ属性と、管理用端末のアドレスとを対応付けて記憶したアドレス記憶部と、
監視対象用端末毎に、アクセスされた複数のアドレスと、そのアドレスのカテゴリとを含むアクセス履歴を蓄積するアクセス履歴蓄積部と、
監視対象用端末毎に、各カテゴリに対する所定閾値の差が予め設定された閾値記憶部と
を有しており、
前記アクセス履歴蓄積部を用いて、監視対象用端末毎に、各カテゴリの所定統計値を算出すると共に、前記ユーザ属性毎に、各カテゴリの平均的な所定統計値を算出する第１のステップと、
前記カテゴリ毎に、前記監視対象用端末に基づく所定統計値が、前記監視対象用端末のユーザ属性に基づく前記平均的な所定統計値よりも、前記所定閾値以上の差があるか否かを判定する第２のステップと、
第２のステップによって真と判定された際に、当該監視対象用端末に対応する管理用端末へ、当該カテゴリについて閾値以上となった旨の警告情報を送信する第３のステップと
を有することを特徴とするアクセス履歴管理方法。
【発明の詳細な説明】
【技術分野】
【０００１】
本発明は、Ｗｅｂサイトに対するアクセス履歴管理サーバの技術に関する。
【背景技術】
【０００２】
従来、ユーザ操作に基づく、パーソナルコンピュータに蓄積されたデータに対するアクセス履歴や、ネットワークを介したＷｅｂサイトに対するアクセス履歴を収集することによって、当該ユーザの関心や興味の傾向を分析する技術がある（例えば特許文献１参照）。
【０００３】
近年、パーソナルコンピュータのような端末に限られず、携帯電話機からも、インターネット介して、様々なＷｅｂサイトに自由にアクセスすることができる。特に、携帯電話機の場合、家庭内における両親及び祖父母のような成年者に限られず、子供のような未成年者も所持することが一般的になっている。しかしながら、インターネット上では、例えば出会い系サイト、アダルトサイト及び自殺サイトのような有害サイトも多く公開されている。そのために、未成年者も、自ら所持する携帯電話機を用いて、有害サイトに自由にアクセスすることができる。
【０００４】
これに対し、未成年者の携帯電話機から有害サイトにアクセスする行為を、保護者の携帯電話機によって管理する技術がある（例えば特許文献２参照）。このような技術に基づくサービスとして、主に、フィルタリングサービス及びアクセス履歴通知サービスがある。
【０００５】
「フィルタリングサービス」によれば、未成年者の携帯電話機から有害サイトへのアクセスを拒否するべく、保護者の携帯電話機から設定することができる。このサービスによれば、ホワイトリスト方式（設定されたＷｅｂサイトのみアクセスを可能とする）又はブラックリスト方式（設定されたＷｅｂサイトへのアクセスを拒否する）がある。
【０００６】
また、「アクセス履歴通知サービス」によれば、未成年者の携帯電話機から有害サイトへのアクセス状況を、保護者の携帯電話機から確認することができる。
【０００７】
図１は、従来技術におけるシステム構成図である。
【０００８】
図１によれば、未成年者が所持する監視対象用端末２は、アクセスネットワーク及びインターネットを介して複数のＷｅｂサーバ５に対して、自由にアクセスすることができる。Ｗｅｂサーバ５は、ＷＷＷ(World Wide Web)サーバ機能を有し、監視対象用端末２へＷｅｂページを送信する。ここで、Ｗｅｂサーバ５として、塾の掲示板のような正当サイトのみならず、アダルトサイト、出会い系の掲示板、自殺サイトのような有害サイトも存在している。
【０００９】
また、図１によれば、アクセス管理サービスのために、インターネットにフィルタリング装置６が更に接続されている。フィルタリング装置６は、監視対象用端末２に対するプロキシサーバとして機能し、いわゆる「有害サイト」に対するアクセスを拒否する。保護者が所持する管理用端末３は、フィルタリング装置６に対して、フィルタリング条件を設定することができる。フィルタリング装置６は、監視対象用端末２からの有害サイトに対するアクセスを拒否すると共に、そのアクセス履歴を、管理用端末３へ送信することもできる。これによって、保護者は、管理用端末３を用いて、未成年者の携帯電話機からの有害サイトへのアクセスを管理することができる。
【先行技術文献】
【特許文献】
【００１０】
【特許文献１】特開２００５−０２５６１７号公報
【特許文献２】特開２００７−２９３３９７号公報
【発明の概要】
【発明が解決しようとする課題】
【００１１】
前述したフィルタリングサービスによれば、保護者は、携帯電話機を用いて、正当又は有害なＷｅｂサイトのＵＲＬ(Uniform Resource Locator)を逐次入力する必要があり、極めて面倒な行為を強いられることとなる。このような行為を回避するために、携帯電話機の通信事業者によって予め調査されたブラックリストが用意されており、保護者は、そのブラックリストの適用に対して、ＯＮ／ＯＦＦの設定のみをすることもできる。しかしながら、ブラックリストに登録されていても、実際には正当なＷｅｂサイトも多数存在する。例えば「掲示板」というカテゴリが有害と判断されている場合、正当な「塾の掲示板」も有害と見なされてしまう。未成年者が所望するＷｅｂサイトにアクセスできないことが多発した場合、保護者は、その利便性を考慮して、フィルタリングサービスの適用を外してしまう場合も多い。
【００１２】
更に、未成年者の携帯電話機から、正当と考えるそのＷｅｂサイトへのアクセスを可能とするためには、保護者は、そのＷｅｂサイトのＵＲＬを逐次、登録する必要がある。結局、保護者は、その作業の煩雑さから、フィルタリングサービスの適用を外してしまう。
【００１３】
また、アクセス履歴通知サービスによれば、未成年者がアクセスしたＷｅｂサイトのＵＲＬが、保護者に直接的に通知される。しかしながら、保護者は、そのＵＲＬがどのようなサイトのものであるか、即ち有害サイトなのか否かを、そのＵＲＬを一見しただけでは判断することが難しい。このサービスを利用する保護者よれば、実際にそのＵＲＬにアクセスすることなく、そのサイトの内容を確認するまでには至らない場合も多い。また、保護者によれば、仮にどのような内容のサイトにアクセスしたかが判別できたとしても、未成年者のアクセス履歴を詳細に知りたいとは思わないと考えている場合も多い。
【００１４】
このように、従来のフィルタリングサービスやアクセス履歴通知サービスは、必ずしも未成年者及び保護者にとって納得のいくものとはなっていない。いずれのサービスも、過剰且つ画一的にしか制限できないために、結局、未成年者の携帯電話機からの有害サイトへのアクセスを適切に管理することができなかった。
【００１５】
そこで、本発明は、特に未成年者の携帯電話機からのＷｅｂサイトに対するアクセスを過剰に制限することなく、保護者の携帯電話機からのそのアクセス履歴の監視負担を軽減することができるアクセス履歴管理サーバ、プログラム及び方法を提供することを目的とする。
【課題を解決するための手段】
【００１６】
本発明によれば、端末によってアクセスされた複数のＷｅｂサイトのアドレスを、ネットワークを介して取得するアクセス履歴管理サーバであって、
監視対象用端末のアドレスと、当該監視対象用端末を操作するユーザのユーザ属性と、管理用端末のアドレスとを対応付けて記憶したアドレス記憶手段と、
監視対象用端末毎に、アクセスされた複数のアドレスと、そのアドレスのカテゴリとを含むアクセス履歴を蓄積するアクセス履歴蓄積手段と、
アクセス履歴蓄積手段を用いて、監視対象用端末毎に、各カテゴリの所定統計値を算出する統計値算出手段と、
アクセス履歴蓄積手段を用いて、ユーザ属性毎に、各カテゴリの平均的な所定統計値を算出する平均統計値算出手段と、
監視対象用端末毎に、各カテゴリに対する所定閾値の差が予め設定された閾値記憶手段と、
カテゴリ毎に、監視対象用端末に基づく所定統計値が、監視対象用端末のユーザ属性に基づく平均的な所定統計値よりも、所定閾値以上の差があるか否かを判定する統計値判定手段と、
統計値判定手段によって真と判定された際に、当該監視対象用端末に対応する管理用端末へ、当該カテゴリについて閾値以上となった旨の警告情報を送信する警告情報送信手段と
を有することを特徴とする。
【００１７】
本発明のアクセス履歴管理サーバにおける他の実施形態によれば、統計値算出手段は、各カテゴリの閲覧回数、及び／又は、当該監視対象用端末からアクセスされた全アクセス数に対する各カテゴリに所属する割合を、所定統計値として算出することも好ましい。
【００１８】
本発明のアクセス履歴管理サーバにおける他の実施形態によれば、警告情報送信手段は、警告情報として、カテゴリ毎の閲覧回数、及び／又は、各カテゴリに所属する割合を、管理用端末へ送信することも好ましい。
【００１９】
本発明のアクセス履歴管理サーバにおける他の実施形態によれば、
Ｗｅｂサイトのアドレスと、そのページ情報に基づくカテゴリとを対応付けて蓄積したカテゴリ検索サーバと通信可能であって、
アクセス履歴をカテゴリ検索サーバへ送信し、当該アクセス履歴のアドレス毎のカテゴリを受信するカテゴリ検索手段を更に有することも好ましい。
【００２０】
本発明のアクセス履歴管理サーバにおける他の実施形態によれば、
アクセス履歴蓄積手段は、所定時間範囲内の時刻にアクセスされたとする複数のアドレスについて最初のアドレス以外を削除するように動作し、
１つのＷｅｂサイトに対するアクセスによって複数のＷｅｂサイトに対するアクセスが強制された場合、当該Ｗｅｂサイトへの１回のアクセスと認定することも好ましい。
【００２２】
本発明のアクセス履歴管理サーバにおける他の実施形態によれば、
端末は、携帯電話機であり、
端末のアドレスは、電話番号又は識別番号であり、
警告情報送信手段は、電子メール、ショートメール又はＷｅｂページによって、警告情報を、管理用端末へ送信することも好ましい。
【００２３】
本発明によれば、端末によってアクセスされた複数のＷｅｂサイトのアドレスを、ネットワークを介して取得するサーバに搭載されたコンピュータを機能させるアクセス履歴管理用プログラムであって、
監視対象用端末のアドレスと、当該監視対象用端末を操作するユーザのユーザ属性と、管理用端末のアドレスとを対応付けて記憶したアドレス記憶手段と、
監視対象用端末毎に、アクセスされた複数のアドレスと、そのアドレスのカテゴリとを含むアクセス履歴を蓄積するアクセス履歴蓄積手段と、
アクセス履歴蓄積手段を用いて、監視対象用端末毎に、各カテゴリの所定統計値を算出する統計値算出手段と、
アクセス履歴蓄積手段を用いて、ユーザ属性毎に、各カテゴリの平均的な所定統計値を算出する平均統計値算出手段と、
監視対象用端末毎に、各カテゴリに対する所定閾値の差が予め設定された閾値記憶手段と、
カテゴリ毎に、監視対象用端末に基づく所定統計値が、監視対象用端末のユーザ属性に基づく平均的な所定統計値よりも、所定閾値以上の差があるか否かを判定する統計値判定手段と、
統計値判定手段によって真と判定された際に、当該監視対象用端末に対応する管理用端末へ、当該カテゴリについて閾値以上となった旨の警告情報を送信する警告情報送信手段と
してコンピュータを機能させることを特徴とする。
【００２４】
本発明によれば、端末によってアクセスされた複数のＷｅｂサイトのアドレスを、ネットワークを介して取得するサーバにおけるアクセス履歴管理方法であって、
監視対象用端末のアドレスと、当該監視対象用端末を操作するユーザのユーザ属性と、管理用端末のアドレスとを対応付けて記憶したアドレス記憶部と、
監視対象用端末毎に、アクセスされた複数のアドレスと、そのアドレスのカテゴリとを含むアクセス履歴を蓄積するアクセス履歴蓄積部と、
監視対象用端末毎に、各カテゴリに対する所定閾値の差が予め設定された閾値記憶部と
を有しており、
アクセス履歴蓄積部を用いて、監視対象用端末毎に、各カテゴリの所定統計値を算出すると共に、ユーザ属性毎に、各カテゴリの平均的な所定統計値を算出する第１のステップと、
カテゴリ毎に、監視対象用端末に基づく所定統計値が、監視対象用端末のユーザ属性に基づく平均的な所定統計値よりも、所定閾値以上の差があるか否かを判定する第２のステップと、
第２のステップによって真と判定された際に、当該監視対象用端末に対応する管理用端末へ、当該カテゴリについて閾値以上となった旨の警告情報を送信する第３のステップと
を有することを特徴とする。
【発明の効果】
【００２５】
本発明のアクセス履歴管理サーバ、プログラム及び方法によれば、特に未成年者の携帯電話機からのＷｅｂサイトに対するアクセスを過剰に制限することなく、保護者の携帯電話機からのそのアクセス履歴の監視負担を軽減することができる。
【図面の簡単な説明】
【００２６】
【図１】従来技術におけるシステム構成図である。
【図２】本発明におけるシステム構成図である。
【図３】本発明におけるアクセス履歴管理サーバの機能構成図である。
【図４】アクセス履歴を表す説明図である。
【図５】カテゴリが付与されたアクセス履歴を表す説明図である。
【図６】アクセス履歴に基づいて警告情報の送信可否の判定を表す説明図である。
【図７】ユーザ属性毎の平均的な所定統計値を表す説明図である。
【発明を実施するための形態】
【００２７】
以下、本発明の実施の形態について、図面を用いて詳細に説明する。
【００２８】
図２は、本発明におけるシステム構成図である。
【００２９】
図２のシステムによれば、図１のシステムと比較して、フィルタリング装置６に代わるアクセス履歴管理サーバ１と、カテゴリ検索サーバ４とを更に有する。
【００３０】
アクセス履歴管理サーバ１は、図１のフィルタリング装置６と同様に、監視対象用端末２に対するプロキシサーバとして機能すると共に、アクセス履歴を蓄積する。また、アクセス履歴管理サーバ１は、管理用端末３から条件情報（閾値）の設定を受け付けると共に、管理用端末３へ所定条件での警告情報を送信する。これら端末は、一般に普及している携帯電話機であることが好ましい。例えば、監視対象用端末２は、未成年者によって所持される携帯電話機であって、管理用端末３は、保護者によって所持される携帯電話機であってもよい。
【００３１】
カテゴリ検索サーバ４は、Ｗｅｂサイトのアドレスと、そのページ情報に基づくカテゴリとを対応付けて蓄積する。例えば、ネットスター社のＵＲＬリストを提供するサーバがある（http://www.netstar-inc.com/）。
【００３２】
図３は、本発明におけるアクセス履歴管理サーバの機能構成図である。
【００３３】
図３によれば、アクセス履歴管理サーバ１は、インターネットに接続する通信インタフェース部１９を有し、プロキシ転送部１０と、アドレス記憶部１１と、アクセス履歴蓄積部１２と、カテゴリ検索部１３と、統計値算出部１４と、平均統計値算出部１５と、閾値記憶部１６と、統計値判定部１７と、警告情報送信部１８とを有する。通信インタフェース部１９を除くこれら機能構成部は、サーバに搭載されたコンピュータを機能させるプログラムを実行することによって実現されるものであってもよい。
【００３４】
［プロキシ転送部１０］
プロキシ転送部１０は、監視対象用端末２からＷｅｂサーバ５に対するアクセスメッセージを受信し、そのメッセージをＷｅｂサーバ５へ転送する。このとき、プロキシ転送部１０は、監視対象用端末２からアクセスされた複数のＷｅｂサイトのアドレス（ＵＲＬ）を、アクセス履歴蓄積部１２へ出力する。
【００３５】
［アドレス記憶部１１］
アドレス記憶部１１は、監視対象用端末２のアドレス（電話番号、識別番号）と、管理用端末３のアドレスとを対応付けて記憶する。例えば、監視対象用端末を所持する未成年者と、管理用端末を所持する保護者との関係であってもよい。
［監視対象用端末のアドレス］<->［管理用端末のアドレス]
【００３６】
［アクセス履歴蓄積部１２］
アクセス履歴蓄積部１２は、監視対象用端末毎（アドレス、電話番号又は識別番号の毎）に、アクセスされた複数のＷｅｂサイトのアドレスを蓄積する。アクセス履歴は、例えば［年月日］、［時刻］及び［ＵＲＬ］を単位とする。ここで、所定時間範囲内（例えば３秒程度）にアクセスされたとして記録された複数のＵＲＬについては、最初のＵＲＬ以外は削除される。
【００３７】
図４は、アクセス履歴を表す説明図である。
【００３８】
図４（ａ）によれば、ほぼ同一時刻に、複数のＷｅｂサイトに対するアクセスが記録されている（太囲み線）。これは、１つのＷｅｂサイトに対するアクセスが、他の複数のＷｅｂサイトに対するアクセスを強制していることを表す。特に、有害サイトの場合、１つのＷｅｂサイトへアクセスしただけで、アクティブスクリプトが起動し、多数の他のＷｅｂサイトへアクセスし、それらページ情報を全て表示する場合がある。
【００３９】
例えば、以下の例では、１つのＷｅｂサイト（１）へのアクセスが、他の複数のＷｅｂサイト（２）から（５）へのアクセスを強制している。
23:55:45  http://asobou.jp/index.html        ・・・（１）
23:55:45  http://asobou.jp/images/hiroba.jpg ・・・（２）
23:55:45  http://asobou.jp/images/boys.jpg   ・・・（３）
23:55:45  http://asobou.jp/images/girls.jpg  ・・・（４）
23:55:45  http://asobou.jp/images/flower.jpg ・・・（５）
【００４０】
図４（ｂ）は、実際に蓄積されたアクセス履歴を表す。図４（ｂ）によれば、図４（ａ）と比較して、所定時間範囲内の時刻にアクセスされたとする複数のアドレスについて、最初のアドレス以外を削除し、最初のアドレスのみを履歴として蓄積する。即ち、当該Ｗｅｂサイトに対する１回のアクセスと認定する。前述の例によれば、最初のアドレス（１）のみをアクセス履歴として蓄積し、それ以外の（２）から（５）を削除する。
【００４１】
図５は、カテゴリが付与されたアクセス履歴を表す説明図である。
【００４２】
図５によれば、アクセス履歴のＵＲＬ毎に、カテゴリ検索部１３によって検索されたカテゴリが紐付けされる。カテゴリとしては、例えば、「学校・学習」、「料理・グルメ」、「出会い系」、「自殺」及び「アダルト」といったものがある。
［年月日］  ［時刻］  ［ＵＲＬ］                      ［カテゴリ］
2010/9/1    23:55:45  http://asobou.jp/index.html      出会い系
2010/9/2    19:38:24  http://juku.study.jp/index.html  学校・学習
・・・・・・・・・・・・・・・・・・・・・・・・・・・・・
アクセス履歴蓄積部１２は、このようなアクセス履歴を蓄積する。尚、一般に、保護者が未成年者からのアクセスを危惧するサイトは、例えば、出会い系、自殺又はアダルトのようなカテゴリに属するサイトである。
【００４３】
［カテゴリ検索部１３］
カテゴリ検索部１３は、インターネットを介して、カテゴリ検索サーバ４と通信する。カテゴリ検索部１３は、アクセス履歴蓄積部１２に蓄積されたアクセス履歴のＵＲＬをキーとして、カテゴリ検索サーバ４に検索を要求する。これに対し、カテゴリ検索部１３は、カテゴリ検索サーバ４から、当該アクセス履歴のＵＲＬ毎のカテゴリを受信する。そのカテゴリは、アクセス履歴蓄積部１２へ出力される。
［ＵＲＬ］                    <->  ［カテゴリ］
http://asobou.jp/index.html        出会い系
尚、カテゴリ検索サーバの機能を、当該アクセス履歴管理サーバが自ら搭載しているものであってもよい。
【００４４】
［統計値算出部１４］
統計値算出部１４は、アクセス履歴蓄積部１２からアクセス履歴を入力し、監視対象用端末毎に、各カテゴリの所定統計値を算出する。ここで、アクセス履歴は、所定期間（例えば１ヶ月間）単位であることが好ましい。所定統計値とは、カテゴリ毎に算出された、閲覧回数であってもよい。また、当該監視対象用端末２からアクセスされた全アクセス数に対する各カテゴリの所属割合であってもよい。統計値算出部１４は、所定統計値を、平均統計値算出部１５及び統計値判定部１７へ出力する。
【００４５】
［閾値記憶部１６］
閾値記憶部１６は、監視対象用端末毎に、各カテゴリの所定統計値に対する閾値を予め設定し、記憶する。閾値は、例えば、出会い系、自殺又はアダルトといったカテゴリ毎に設定される。ここでの閾値は、所定統計値に対応する値であって、閲覧回数であってもよいし、全アクセス数に対する各カテゴリの所属割合であってもよい。閾値は、ネットワークを介して保護者の管理用端末３から設定されるものであってもよいし、アクセス履歴管理サーバ１内で予め設定されたものであってもよい。
【００４６】
［統計値判定部１７］
統計値判定部１７は、統計値算出部１４から所定統計値を入力し、カテゴリ毎に、所定統計値が閾値以上となったか否かを判定する。
【００４７】
［警告情報送信部１８］
警告情報送信部１８は、統計値判定部１７によって真と判定された場合、ネットワークを介して、当該監視対象用端末２に対応する管理用端末３へ、当該カテゴリについて閾値以上となった旨の警告情報を送信する。警告情報は、カテゴリ毎の閲覧回数、及び／又は、各カテゴリに所属する割合を含むものであってもよい。また、警告情報は、電子メール、ショートメール又はＷｅｂページによって、管理用端末３へ送信されるものであってもよい。
【００４８】
図６は、アクセス履歴に基づいて警告情報の送信可否の判定を表す説明図である。
【００４９】
図６によれば、監視対象用端末Ａのアクセス履歴から算出された所定統計値は、以下のようになっているとする。
監視対象用端末Ａ（電話番号080-000-0001）
全アクセス数：２０回
出会い系    ：  ６回    ３０％
自殺        ：  １回      ５％
アダルト    ：  ０回      ０％
その他      ：１３回    ６５％
【００５０】
ここで、監視対象用端末Ａを所持する未成年者に対する保護者が、管理用端末ａを用いて、以下のような閾値を設定したとする。
管理用端末ａ（電話番号080-000-0002）
出会い系    ：  １０％
自殺        ：  １０％
アダルト    ：  １０％
【００５１】
図６によれば、カテゴリ「自殺」「アダルト」における統計値は、閾値を超えていないが、カテゴリ「出会い系」における統計値３０％は、閾値１０％を超えている。そこで、アクセス履歴管理サーバ１は、管理用端末３へ、「出会い系」カテゴリへのアクセスが所定閾値を超えた旨の警告情報を送信する。
【００５２】
本発明によれば、未成年者によって操作される監視対象用端末２からのアクセス履歴について、カテゴリの統計値が閾値以上とならない限り、管理用端末３へは警告情報は何ら通知されない。例えば図６によれば、管理用端末ａを所持する保護者は、監視対象用端末Ａを所持する未成年者に対して、１０％程度の出会い系サイトへのアクセスや、１０％程度のアダルトサイトへのアクセスは、大目に見て許容していることを意味する。
【００５３】
次に、前述と異なって、監視対象用端末を所持する未成年者のユーザ属性に応じて、所定統計値に対する閾値を設定することができる実施形態を説明する。
【００５４】
最初に、アドレス記憶部１１は、監視対象用端末２のアドレスに、当該監視対象用端末２を操作するユーザのユーザ属性情報を対応付けて記憶する。
［監視対象用端末のアドレス］<->［ユーザ属性情報］<->［管理用端末のアドレス]
例えば、未成年者が所持する監視対象用端末（携帯電話機）のアドレス［080-000-0001］に、ユーザ属性［中学生・男子］を対応付けて記憶する。
【００５５】
また、アクセス履歴管理サーバ１は、平均統計値算出部１５を更に有する。
［平均統計値算出部１５］
平均統計値算出部１５は、統計値算出部１４から所定統計値に基づいて、ユーザ属性毎に、平均的な所定統計値を算出する。平均統計値算出部１５は、統計値判定部１７によって参照される。
【００５６】
そして、統計値判定部１７は、監視対象用端末における所定統計値が、平均統計値算出部１５における監視対象用端末のユーザ属性に基づく平均的な所定統計値よりも、所定閾値以上の差があるか否かを判定する。
【００５７】
図７は、ユーザ属性毎の平均的な所定統計値を表す説明図である。
【００５８】
図７によれば、様々なユーザ属性に対応して、平均的なアクセス履歴に基づく各カテゴリの所属割合が表されている。例えば、ユーザ属性［中学生・男子］の場合、比較的多くのユーザが「アダルト」に興味を持っていることが理解できる。例えば、ユーザ属性［中学生・男子］の場合、平均的な所定統計値は以下のようになっている。
［カテゴリ］  ［割合］
出会い系     ３５％
自殺           ２％
アダルト     ４０％
その他       ２３％
【００５９】
また、ユーザ属性［高校生・女子］の場合、比較的多くのユーザが「出会い系」に興味を持っていることが理解できる。
［カテゴリ］  ［割合］
出会い系     ４４％
自殺           ４％
アダルト     １７％
その他       ３５％
【００６０】
ある意味、保護者から見て危惧するカテゴリのＷｅｂサイトに多少アクセスしたとしても、それが平均的な割合である限り、未成年者のその年代にあっては普通のことである。即ち、保護者としては、［中学生・男子]の未成年者が、アダルトサイトへ、多少アクセスすることは許容してあげたいと考える。しかしながら、未成年者におけるアクセス履歴に基づく各カテゴリの所属割合が、その未成年者のユーザ属性に基づく平均的な各カテゴリの所属割合よりも、所定閾値以上の差がある場合、ある意味で異常状態であって、その保護者に警告情報が送信される。即ち、保護者としては、［中学生・男子]の未成年者が、自殺サイトへ、平均的な割合以上にアクセスすることは許容できないと考える。
【００６１】
図７によれば、監視対象用端末Ａのアクセス履歴から算出された所定統計値は、以下のようになっているとする。
監視対象用端末Ａ（電話番号080-000-0001）［中学生・男子］
全アクセス数：２０回
出会い系    ：  ６回    ３０％
自殺        ：  １回      ５％
アダルト    ：  ０回      ０％
その他      ：１３回    ６５％
【００６２】
ここで、［中学生・男子］における「自殺」カテゴリにおける平均統計値は２％であるのに対し、この未成年者の「自殺」カテゴリにおける統計値は５％である。両統計値の差は、３％となる。
【００６３】
また、［中学生・男子］における「出会い系」カテゴリにおける平均統計値は４０％であるのに対し、この未成年者の「出会い系」カテゴリにおける統計値は３０％である。ここでは、平均統計値を越えていないので何ら問題はない。
【００６４】
ここで、所定閾値の差として「２％」が設定されている場合、この未成年者の「自殺」カテゴリへのアクセスは、３％の差があるために、ある意味で異常状態であって、その保護者に警告情報が送信される。
【００６５】
以上、詳細に説明したように、本発明のアクセス履歴管理サーバ、プログラム及び方法によれば、特に未成年者の携帯電話機からのＷｅｂサイトに対するアクセスを過剰に制限することなく、保護者の携帯電話機からのそのアクセス履歴の監視負担を軽減することができる。
【００６６】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６７】
１  アクセス履歴管理サーバ
１０  プロキシ転送部
１１  アドレス記憶部
１２  アクセス履歴蓄積部
１３  カテゴリ検索部
１４  統計値算出部
１５  平均統計値算出部
１６  閾値記憶部
１７  統計値判定部
１８  警告情報送信部
１９  通信インタフェース部
２  監視対象用端末
３  管理用端末
４  カテゴリ検索サーバ
５  Ｗｅｂサーバ
６  フィルタリング装置
【図１】
0005555584.tif 000002
【図２】
0005555584.tif 000003
【図３】
0005555584.tif 000004
【図４】
0005555584.tif 000005
【図５】
0005555584.tif 000006
【図６】
0005555584.tif 000007
【図７】
0005555584.tif 000008